(57)【要約】【課題】消費電力を抑えた頭部装着型表示装置を提供する。【解決手段】頭部装着型表示装置は、画像データに基づいて画像光を生成し射出する画像光生成部と、画像光を使用者の眼に導く導光部とを有する。頭部装着型表示装置は、使用者に虚像を視認させる画像表示部と、画像表示部と接続され、画像表示部に画像データを送信すると共に、画像表示部による画像表示を制御する制御部と、少なくとも画像表示部または制御部には、使用者のまぶたの状態を検出する検出部と、を備える。制御部は、検出部が検出した使用者のまぶたの状態に応じて、消費電力の異なる複数の動作モードを切り替える。【選択図】図５
2012203127.tif 000002
【特許請求の範囲】
【請求項１】
頭部装着型表示装置であって、
画像データに基づいて画像光を生成し射出する画像光生成部と、前記画像光を使用者の眼に導く導光部と、を有し、使用者に虚像を視認させる画像表示部と、
前記画像表示部と接続され、前記画像表示部に前記画像データを送信すると共に、前記画像表示部による画像表示を制御する制御部と、
少なくとも前記画像表示部または前記制御部には、使用者のまぶたの状態を検出する検出部と、を備え、
前記制御部は、前記検出部が検出した使用者のまぶたの状態に応じて、消費電力の異なる複数の動作モードを切り替える、頭部装着型表示装置。
【請求項２】
請求項１に記載の頭部装着型表示装置であって、
前記制御部は、前記検出部が使用者のまぶたが所定の時間閉じ続けているのを検出したとき、より消費電力の小さい動作モードへの移行である省電力移行を行う、頭部装着型表示装置。
【請求項３】
請求項２に記載の頭部装着型表示装置であって、
前記制御部は、前記省電力移行の後、前記検出部が使用者のまぶたが所定の時間開いたのを検出したとき、より消費電力の大きい動作モードへの移行である復帰移行を行う、頭部装着型表示装置。
【請求項４】
請求項２または請求項３に記載の頭部装着型表示装置であって、
前記画像光生成部は、光を射出する光源と、画像データに基づいて前記光源から射出された前記光を画像を表す画像光に変換する画像生成部と、を含み、
前記制御部は、前記省電力移行時に、前記光源から射出される前記光を低減する、頭部装着型表示装置。
【請求項５】
請求項４に記載の頭部装着型表示装置であって、
前記光源は、右眼用光源と左眼用光源とを含み、
前記制御部は、前記省電力移行時に、前記右眼用光源と前記左眼用光源との一方から射出される前記光を低減する、頭部装着型表示装置。
【請求項６】
請求項２または請求項３に記載の頭部装着型表示装置であって、
前記画像光生成部は、光を射出する光源と、画像データに基づいて前記光源から射出された前記光を画像を表す画像光に変換する画像生成部と、を含み、
前記制御部は、前記省電力移行時に、前記画像生成部の動作を停止する、頭部装着型表示装置。
【請求項７】
請求項３に記載の頭部装着型表示装置であって、
前記画像光生成部は、光を射出する光源と、画像データに基づいて前記光源から射出された前記光を画像を表す画像光に変換する画像生成部と、を含み、
前記制御部は、前記省電力移行時に、前記画像生成部の動作を停止し、前記復帰移行時に、前記画像生成部の動作を再び開始する、頭部装着型表示装置。
【請求項８】
請求項２または請求項３に記載の頭部装着型表示装置であって、
前記制御部は、複数の機能を実現する機能部を含むと共に、前記省電力移行時に、前記複数の機能を実現する機能部の一部の動作を停止する、頭部装着型表示装置。
【請求項９】
請求項８に記載の頭部装着型表示装置であって、
前記制御部は、さらに操作部を有すると共に、前記省電力移行後に、前記操作部が特定の操作を受け付けたとき、停止している前記機能部の動作を再び開始する、頭部装着型表示装置。
【請求項１０】
請求項９に記載の頭部装着型表示装置であって、
前記制御部は、前記省電力移行時に、前記画像表示部により表示されていた画像の情報を記憶し、前記復帰移行時に、前記省電力移行時に表示されていた画像から表示を再開する、頭部装着型表示装置。
【請求項１１】
請求項２に記載の頭部装着型表示装置であって、
前記制御部は、前記省電力移行の後、前記検出部が使用者のまぶたが所定の時間閉じ続けているのを検出したとき、さらに消費電力の小さい動作モードへの前記省電力移行を行う、頭部装着型表示装置。
【請求項１２】
画像データに基づいて画像光を生成し射出する画像光生成部と、前記画像光を使用者の眼に導く導光部と、を有し、使用者に虚像を視認させる画像表示部を有する頭部装着型表示装置の制御方法であって、
前記画像表示部に前記画像データを送信すると共に、前記画像表示部による画像表示を制御する制御工程と、
少なくとも前記画像表示部または前記制御工程には、使用者のまぶたの状態を検出する検出工程と、を備え、
前記制御工程は、前記検出工程で検出した使用者のまぶたの状態に応じて、消費電力の異なる複数の動作モードを切り替える工程を含む、頭部装着型表示装置の制御方法。
【発明の詳細な説明】
【技術分野】
【０００１】
本発明は、頭部装着型表示装置および頭部装着型表示装置の制御方法、頭部装着型表示装置の制御のためのコンピュータープログラムに関する。
【背景技術】
【０００２】
頭部に装着する表示装置である頭部装着型表示装置（ヘッドマウントディスプレイ（Head Mounted Display））が知られている。頭部装着型表示装置は、例えば、液晶ディスプレイおよび光源を利用して画像を表す画像光を生成し、生成された画像光を投写光学系や導光板を利用して使用者の眼に導くことにより、使用者に虚像を視認させる。
【０００３】
頭部装着型表示装置においては、消費電力を小さくすることが求められる。特に、携帯性を高めるためにバッテリーで駆動される頭部装着型表示装置では、使用可能時間を長くするために、消費電力を小さくすることがより求められる。この点に関して、消費電力を小さくするために、発光光源を必要としない頭部装着型表示装置が知られている（例えば、特許文献１参照）。
【先行技術文献】
【特許文献】
【０００４】
【特許文献１】特開平７−２０９６００号公報
【特許文献２】特開２００９−１９２５８３号公報
【特許文献３】特許第４５６０３６８号公報
【発明の概要】
【発明が解決しようとする課題】
【０００５】
しかし、上記従来の頭部装着型表示装置では、発光光源がないため、外来光が十分にない環境では、きれいな映像を見ることができないという問題があった。
【０００６】
本発明は、上述の課題を解決するためになされたものであり、表示画像の質を落とすことなく、消費電力を抑えた頭部装着型表示装置を提供することを目的とする。
【課題を解決するための手段】
【０００７】
上記課題の少なくとも一部を解決するために、本発明は、以下の形態または適用例として実現することが可能である。
【０００８】
［適用例１］頭部装着型表示装置であって、
画像データに基づいて画像光を生成し射出する画像光生成部と、前記画像光を使用者の眼に導く導光部と、を有し、使用者に虚像を視認させる画像表示部と、
前記画像表示部と接続され、前記画像表示部に前記画像データを送信すると共に、前記画像表示部による画像表示を制御する制御部と、
少なくとも前記画像表示部または前記制御部には、使用者のまぶたの状態を検出する検出部と、を備え、
前記制御部は、前記検出部が検出した使用者のまぶたの状態に応じて、消費電力の異なる複数の動作モードを切り替える、頭部装着型表示装置。
【０００９】
この頭部装着型表示装置では、検出部は、使用者のまぶたの状態を検出する。制御部は、検出したまぶたの状態により、消費電力の異なる複数の動作モードへと切り替える。そのため、この頭部装着型表示装置は、使用者のまぶたの状態に応じた適切な動作モードで動作することにより、消費電力を小さくすることができる。
【００１０】
［適用例２］適用例１に記載の頭部装着型表示装置であって、
前記制御部は、前記検出部が使用者のまぶたが所定の時間閉じ続けているのを検出したとき、より消費電力の小さい動作モードへの移行である省電力移行を行う、頭部装着型表示装置。
【００１１】
使用者のまぶたが所定の時間閉じている場合には、使用者は画像を見ていない可能性が高いと考えられる。この頭部装着型表示装置では、制御部は、検出部が使用者のまぶたが所定の時間閉じ続けているのを検出したときに、より消費電力の小さい動作モードへの移行である省電力移行を行うため、使用者の利便性の低下を抑制しつつ、従来よりも消費電力を小さくすることができる。
【００１２】
［適用例３］適用例２に記載の頭部装着型表示装置であって、
前記制御部は、前記省電力移行の後、前記検出部が使用者のまぶたが所定の時間開いたのを検出したとき、より消費電力の大きい動作モードへの移行である復帰移行を行う、頭部装着型表示装置。
【００１３】
使用者のまぶたが所定の時間開いている場合には、使用者は画像を見ている可能性が高いと考えられる。この頭部装着型表示装置では、制御部は、省電力移行の後、検出部が使用者のまぶたが所定の時間開いたのを検出したとき、より消費電力の大きい動作モードへの移行である復帰移行を行うため、復帰移行を速やかに行うことができる。
【００１４】
［適用例４］適用例２または適用例３に記載の頭部装着型表示装置であって、
前記画像光生成部は、光を射出する光源と、画像データに基づいて前記光源から射出された前記光を画像を表す画像光に変換する画像生成部と、を含み、
前記制御部は、前記省電力移行時に、前記光源から射出される光を低減する、頭部装着型表示装置。
【００１５】
この頭部装着型表示装置では、制御部は、省電力移行時に、光源から射出される光を低減するため、消費電力を小さくすることができる。
【００１６】
［適用例５］適用例４に記載の頭部装着型表示装置であって、
前記光源は、右眼用光源と左眼用光源とを含み、
前記制御部は、前記省電力移行時に、前記右眼用光源と前記左眼用光源との一方から射出される前記光を低減する、頭部装着型表示装置。
【００１７】
この頭部装着型表示装置では、制御部は、省電力移行時に、右眼用光源と左眼用光源との一方から射出される光を低減するため、柔軟な消費電力の低減を実現することができる。
【００１８】
［適用例６］適用例２または適用例３に記載の頭部装着型表示装置であって、
前記画像光生成部は、光を射出する光源と、画像データに基づいて前記光源から射出された前記光を画像を表す画像光に変換する画像生成部と、を含み、
前記制御部は、前記省電力移行時に、前記画像生成部の動作を停止する、頭部装着型表示装置。
【００１９】
この頭部装着型表示装置では、制御部は、省電力移行時に、画像生成部の動作を停止するため、消費電力を小さくすることができる。
【００２０】
［適用例７］適用例３に記載の頭部装着型表示装置であって、
前記画像光生成部は、光を射出する光源と、画像データに基づいて前記光源から射出された前記光を画像を表す画像光に変換する画像生成部と、を含み、
前記制御部は、前記省電力移行時に、前記画像生成部の動作を停止し、前記復帰移行時に、前記画像生成部の動作を再び開始する、頭部装着型表示装置。
【００２１】
この頭部装着型表示装置では、制御部は、復帰移行時に、画像生成部の動作を再び開始するため、復帰移行を速やかに行うことができる。
【００２２】
［適用例８］適用例２または適用例３に記載の頭部装着型表示装置であって、
前記制御部は、複数の機能を実現する機能部を含むと共に、前記省電力移行時に、前記複数の機能を実現する機能部の一部の動作を停止する、頭部装着型表示装置。
【００２３】
この頭部装着型表示装置では、制御部は、省電力移行時に、制御部の複数の機能を実現する機能部の一部の動作を停止するため、消費電力を小さくすることができる。
【００２４】
［適用例９］適用例８に記載の頭部装着型表示装置であって、
前記制御部は、さらに操作部を有すると共に、前記省電力移行後に、前記操作部が特定の操作を受け付けたとき、停止している前記機能部の動作を再び開始する、頭部装着型表示装置。
【００２５】
この頭部装着型表示装置では、制御部は、省電力移行後に、操作部が特定の操作を受け付けたとき、停止している機能部の動作を再び開始するため、検出部が使用者のまぶたの状態を検出しなくても、の復帰移行を速やかに行うことができる。
【００２６】
［適用例１０］適用例９に記載の頭部装着型表示装置であって、
前記制御部は、前記省電力移行時に、前記画像表示部により表示されていた画像の情報を記憶し、前記復帰移行時に、前記省電力移行時に表示されていた画像から表示を再開する、頭部装着型表示装置。
【００２７】
この頭部装着型表示装置では、復帰移行時に、省電力移行時に表示されていた画像から表示を再開するため、復帰移行時に効率的に目的の画像を見ることができ、利便性を向上させることができる。
【００２８】
［適用例１１］適用例２に記載の頭部装着型表示装置であって、
前記制御部は、前記省電力移行の後、前記検出部が使用者のまぶたが所定の時間閉じ続けているのを検出したとき、さらに消費電力の小さい動作モードへの前記省電力移行を行う、頭部装着型表示装置。
【００２９】
この頭部装着型表示装置では、制御部は、検出部が使用者のまぶたの状態に応じて、段階的に消費電力の小さい動作モードへの省電力移行を行う。そのため、この頭部装着型表示装置は、消費電力を小さくしつつ、速やかに復帰移行を行うことができる。
【００３０】
なお、本発明は、種々の態様で実現することが可能であり、例えば、情報処理装置および情報処理装置の制御方法、頭部装着型表示装置および頭部装着型表示装置の制御方法、情報処理システム、頭部装着型表示システム、これらの方法、装置またはシステムの機能を実現するためのコンピュータープログラム、そのコンピュータープログラムを記録した記録媒体、そのコンピュータープログラムを含み搬送波内に具現化されたデータ信号、等の形態で実現することができる。
【図面の簡単な説明】
【００３１】
【図１】本発明の第１実施例における頭部装着型表示装置１００の外観構成を示す説明図である。
【図２】画像表示部２０の詳細構成を示す説明図である。
【図３】頭部装着型表示装置１００の構成を機能的に示す説明図である。
【図４】使用者に認識される虚像の一例を示す説明図である。
【図５】第１実施例における頭部装着型表示装置１００の制御処理の流れを示すフローチャートである。
【発明を実施するための形態】
【００３２】
次に、本発明の実施の形態を実施例に基づいて以下の順序で説明する。
Ａ．第１実施例：
Ａ−１．装置構成：
Ａ−２．制御処理：
Ｂ．変形例：
【００３３】
Ａ．第１実施例：
Ａ−１．装置構成：
図１は、本発明の第１実施例における頭部装着型表示装置１００の外観構成を示す説明図である。頭部装着型表示装置１００は、頭部に装着する表示装置であり、ヘッドマウントディスプレイ（Head  Mounted  Display、ＨＭＤ）とも呼ばれる。本実施例の頭部装着型表示装置１００は、使用者が、虚像を視認すると同時に外景も直接視認可能な光学透過型の頭部装着型表示装置である。
【００３４】
頭部装着型表示装置１００は、使用者の頭部に装着された状態において使用者に虚像を視認させる画像表示部２０と、画像表示部２０を制御する制御部（コントローラー）１０と、を備えている。
【００３５】
画像表示部２０は、使用者の頭部に装着される装着体であり、本実施例では眼鏡のような形状である。画像表示部２０は、テンプル（つる）として機能する耳掛部２１と、使用者が画像表示部２０を装着した状態においてそれぞれ使用者の右および左の眼の前に位置する右光学パネル２６および左光学パネル２８と、を有している。また、右耳用の耳掛部２１と右光学パネル２６との接続箇所には、右表示駆動部２２が配置され、左耳用の耳掛部２１と左光学パネル２８との接続箇所には、左表示駆動部２４が配置されている。以降の説明では、右光学パネル２６および左光学パネル２８をまとめて単に「光学パネル２６、２８」とも呼ぶ。
【００３６】
画像表示部２０は、また、右耳用の右イヤホン３２および左耳用の左イヤホン３４を有する。右イヤホン３２および左イヤホン３４は、使用者が画像表示部２０を装着した際に、それぞれ右および左の耳に装着される。
【００３７】
画像表示部２０は、さらに、画像表示部２０を制御部１０に接続するための接続部４０を有している。接続部４０は、制御部１０に接続される本ケーブル４８と、本ケーブル４８が２本に分岐した右ケーブル４２および左ケーブル４４と、分岐点に設けられた連結部４６と、を含んでいる。右ケーブル４２は、右表示駆動部２２に接続されており、左ケーブル４４は、左表示駆動部２４に接続されている。画像表示部２０と制御部１０とは、接続部４０を介して各種信号の伝送を行う。本ケーブル４８における連結部４６とは反対側の端部と制御部１０とのそれぞれには、互いに嵌合するコネクター（不図示）が設けられており、本ケーブル４８のコネクターと制御部１０のコネクターとの嵌合／嵌合解除により、制御部１０と画像表示部２０とが接続されたり切り離されたりする。
【００３８】
制御部１０は、画像表示部２０による画像表示を制御する装置である。制御部１０は、電源のＯＮ／ＯＦＦを切り換える電源スイッチ１８と、頭部装着型表示装置１００の動作状態（例えば、電源のＯＮ／ＯＦＦ状態）を発光状態によって通知する点灯部１２と、使用者の指操作を検出して指操作に応じた信号を出力するタッチパッド１４と、上下左右方向に対応するキーの押下操作を検出して操作に応じた信号を出力する十字キー１６と、を有している。点灯部１２としては、例えば、１つまたは複数のＬＥＤランプを用いることができる。タッチパッド１４としては、静電式や圧力検出式、光学式といった種々のタッチパッドを採用することができる。
【００３９】
図２は、画像表示部２０の詳細構成を示す説明図である。画像表示部２０は、使用者のまぶたの状態を検出する赤外線センサー５０を有している。赤外線センサー５０は、使用者の両眼に向けて赤外線を射出する赤外線発光部５１と使用者の両眼で反射した赤外線を受光する赤外線受光部５６とを有している。赤外線発光部５１は、使用者の右眼に向けて赤外線を射出する右赤外線発光部５２と使用者の左眼に向けて赤外線を射出する左赤外線発光部５４とを有している。右赤外線発光部５２は右表示駆動部２２に設けられており、左赤外線発光部５４は左表示駆動部２４に設けられている。赤外線受光部５６は、右光学パネル２６と左光学パネル２８の中間である境界部分に設けられている。
【００４０】
右赤外線発光部５２から射出された赤外線は、後述する画像表示部２０に含まれる右導光板２６１に反射されて、使用者の右眼６２に入射する。その入射光に対する右眼６２からの赤外線の反射光は、赤外線受光部５６に達し、赤外線センサー５０により検出される。左赤外線発光部５４から射出された赤外線は、右赤外線発光部５２から射出された赤外線と同様であるため、ここでは説明を省略する。使用者の眼が開いている状態と眼が閉じている状態とでは、赤外線の反射率が異なるため、赤外線受光部５６での出力値が異なる。そのため、赤外線センサー５０は、使用者の眼が開いている状態と眼が閉じている状態とを判定することができる。
【００４１】
図３は、頭部装着型表示装置１００の構成を機能的に示す説明図である。図３に示すように、制御部１０は、ＣＰＵ１４０と、ＲＯＭやＲＡＭ等により構成された記憶部１２０と、頭部装着型表示装置１００の各部に電力を供給する電源１３０と、使用者により操作される操作部１１０（本実施例では、タッチパッド１４、十字キー１６、電源スイッチ１８）と、画像（静止画像、動画像）や音声等のコンテンツデータの供給元となる種々の外部機器ＯＡ（例えば、パーソナルコンピューターＰＣや携帯電話端末、ゲーム端末）を接続するためのインターフェイス１８０と、を有している。電源１３０としては、例えば二次電池を用いることができ、インターフェイス１８０としては、例えばＵＳＢインターフェイスやメモリーカード用インターフェイス、無線ＬＡＮインターフェイス等を採用することができる。
【００４２】
記憶部１２０には、種々のコンピュータープログラムが格納されており、ＣＰＵ１４０は、記憶部１２０からコンピュータープログラムを読み出して実行することにより、オペレーティングシステム（ＯＳ）１５０や、画像処理部１６０、表示制御部１９０、検出制御部１８３、音声処理部１７０として機能する。
【００４３】
画像処理部１６０は、インターフェイス１８０を介して入力されるコンテンツデータに基づき、垂直同期信号ＶＳｙｎｃ、水平同期信号ＨＳｙｎｃ、画像データＤａｔａを生成し、接続部４０を介してこれらの信号を画像表示部２０に供給する。具体的には、画像処理部１６０は、コンテンツデータに含まれる画像信号（例えば、１秒あたり３０枚のフレーム画像から構成されるアナログ信号）を取得し、取得した画像信号から垂直同期信号ＶＳｙｎｃや水平同期信号ＨＳｙｎｃ等の同期信号を分離し、同期信号が分離されたアナログ画像信号をデジタル画像信号に変換して画像データＤａｔａを生成する。なお、画像処理部１６０は、必要に応じて、画像データに対する解像度変換処理や色調補正処理等を実行してもよい。
【００４４】
検出制御部１８３は、赤外線センサー５０と接続しており、赤外線受光部５６で受光した赤外線の出力値を検出する。また、検出制御部１８３は、赤外線発光部５１の赤外線の発光を制御する。検出制御部１８３は、赤外線受光部５６での出力値に基づき、使用者の眼が開いている状態と眼が閉じている状態とを判定する。その判定に基づき、検出制御部１８３は、制御信号を生成し、表示制御部１９０に制御信号を供給する。なお、検出制御部１８３と赤外線センサー５０とは、本発明の検出部１８５に相当する。
【００４５】
表示制御部１９０は、検出部１８５等からの制御信号を受信し、右表示駆動部２２および左表示駆動部２４を制御する制御信号を生成し、接続部４０を介して画像表示部２０に供給することにより、画像表示部２０における画像表示状態を制御する。具体的には、表示制御部１９０は、生成した制御信号により、右ＬＣＤ制御部２１１による右ＬＣＤ２４１の駆動ＯＮ／ＯＦＦや右光源制御部２０１による右光源２２１の駆動ＯＮ／ＯＦＦや、左ＬＣＤ制御部２１２による左ＬＣＤ２４２の駆動ＯＮ／ＯＦＦや左光源制御部２０２による左光源２２２の駆動ＯＮ／ＯＦＦを個別に制御することにより、右表示駆動部２２および左表示駆動部２４のそれぞれによる画像光の生成の有無を制御する。例えば、表示制御部１９０は、右表示駆動部２２および左表示駆動部２４の両方に画像光を生成させたり、一方のみに画像光を生成させたり、両方共に画像光を生成させなかったりする。
【００４６】
音声処理部１７０は、コンテンツデータに含まれる音声信号を取得し、取得した音声信号を増幅して、画像表示部２０の右イヤホン３２および左イヤホン３４に接続部４０を介して供給する。
【００４７】
画像表示部２０の右表示駆動部２２は、例えばＬＥＤランプにより構成された右光源２２１と、制御部１０から供給される制御信号に基づいて右光源２２１を駆動する右光源制御部２０１と、右光源２２１から射出される光を画像を表す画像光へと変換する右液晶ディスプレイ（ＬＣＤ）２４１と、制御部１０から供給される垂直同期信号ＶＳｙｎｃ、水平同期信号ＨＳｙｎｃ、画像データＤａｔａに基づいて右ＬＣＤ２４１を駆動制御する右ＬＣＤ制御部２１１と、を有している。右ＬＣＤ２４１は、例えば透過型液晶パネルを用いて構成される。右ＬＣＤ２４１と右ＬＣＤ制御部２１１とで、右眼用画像生成部２４４が構成される。右表示駆動部２２は、生成された画像光を投写する右投写光学系２５１を有している。右投写光学系２５１は、例えばコリメートレンズを用いて構成される。
【００４８】
画像表示部２０の右光学パネル２６（図１）は、右導光板２６１を有しており、右導光板２６１は、右投写光学系２５１から出力された画像光を、所定の光路に沿って反射させつつ使用者の右眼６２（図２）に導く。なお、右投写光学系２５１と右導光板２６１とは、本発明における導光部に相当する。
【００４９】
左表示駆動部２４は、右表示駆動部２２と同様に、左光源２２２と、左光源制御部２０２と、左ＬＣＤ２４２と、左ＬＣＤ制御部２１２と、左投写光学系２５２と、を含んでいる。左表示駆動部２４に含まれる各要素の構成や機能は、右表示駆動部２２に含まれる各要素と同様であるため、ここでは説明を省略する。また、画像表示部２０の左光学パネル２８は、左導光板２６２を有しており、左導光板２６２は、左投写光学系２５２から出力された画像光を、所定の光路に沿って反射させつつ使用者の左眼６４（図２）に導く。左ＬＣＤ２４２と左ＬＣＤ制御部２１２とで、左眼用画像生成部２４６が構成される。左投写光学系２５２と左導光板２６２とは、本発明における導光部に相当する。以下では、右光源制御部２０１および左光源制御部２０２をまとめて単に「光源制御部２０１、２０２」とも呼び、右光源２２１および左光源２２２をまとめて単に「光源２２１、２２２」とも呼び、右眼用画像生成部２４４および左眼用画像生成部２４６とをまとめて単に「画像生成部２４４、２４６」とも呼ぶ。なお、光源２２１、２２２と画像生成部２４４、２４６とは、本発明における画像光生成部に相当する。
【００５０】
このようにして、頭部装着型表示装置１００の使用者の両眼に導かれた画像光が網膜に結像することにより、使用者は虚像を視認する。図４は、使用者に認識される虚像の一例を示す説明図である。図４に示すように、頭部装着型表示装置１００の使用者の視野ＶＲ内には虚像ＶＩが視認される。また、使用者の視野ＶＲの内、虚像ＶＩが視認された部分以外については、使用者は、右光学パネル２６および左光学パネル２８を透過して、外景ＳＣを見ることができる。なお、本実施例の頭部装着型表示装置１００では、使用者の視野ＶＲの内の虚像ＶＩが視認された部分についても、虚像ＶＩの背後に外景ＳＣが透けて見えるようになっている。
【００５１】
なお、右光学パネル２６および左光学パネル２８は、右導光板２６１および左導光板２６２の前面側（使用者の眼の側とは反対の側）に設けられ、光透過率を調整可能な調光板を有しているとしてもよい。調光板を設けると、調光板の光透過率を調整することにより、使用者の眼に入る外光量を調整し、虚像の視認のしやすさを調整することができる。
【００５２】
Ａ−２．制御処理
図５は、第１実施例における頭部装着型表示装置１００の制御処理の流れを示すフローチャートである。本実施例の頭部装着型表示装置１００が使用されている状態では、インターフェイス１８０を介して接続された外部機器ＯＡから、動画や画像等のコンテンツデータがＣＰＵ１４０に供給される。表示制御部１９０は、供給されたコンテンツデータに基づいて、制御信号を生成する。その制御信号は、光源制御部２０１、２０２と画像生成部２４４、２４６とに供給される。光源制御部２０１、２０２は、供給された制御信号に基づいて、光源２２１、２２２の輝度を増減する。画像生成部２４４、２４６は、供給された制御信号に基づいて、光源２２１、２２２から射出された光を画像光に変換する。左投写光学系２５２と左導光板２６２とが、画像光を使用者の眼に導く。画像光は、使用者に虚像として視認され、ＣＰＵ１４０に含まれる音声処理部１７０は、外部機器ＯＡから供給されたコンテンツの音声を再生する（ステップ３１０）。なお、本実施例では、頭部装着型表示装置１００は、透過型頭部装着型表示装置であるため、使用者は虚像ＶＩの背後に外景ＳＣが透けて見えるようになっている。
【００５３】
頭部装着型表示装置１００の動作時には、検出部１８５は、使用者のまぶたの状態（まぶたの開閉状態）を検出する（ステップＳ３２０）。使用者が外部機器ＯＡから供給されたコンテンツを鑑賞しているときに、検出部１８５は、使用者のまぶたが閉じ続けているのを検出するときがある。このとき、使用者は眠った可能性があると考えられる。そのため、本実施例において、制御部１０と表示制御部１９０とは、検出部１８５が検出した使用者のまぶたの開閉状態に応じて、動作モードを切り替える。
【００５４】
検出部１８５が、使用者のまぶたが１０秒以上は閉じ続けたことを検出しない間は（ステップＳ３３０：ＮＯ）、使用者が眠っていないと判定し、頭部装着型表示装置１００の通常動作は続く（ステップＳ３３１）。
【００５５】
頭部装着型表示装置１００が通常動作のときに、検出部１８５は、使用者のまぶたが１０秒以上閉じ続けていたのを検出したとき（ステップＳ３３０：ＹＥＳ）、使用者が眠っていると判定する。このとき、表示制御部１９０は、光源２２１、２２２の輝度を低減する（ステップＳ３４０）。光源２２１、２２２から射出される光を低減することにより、の輝度を低減することにより、頭部装着型表示装置１００は、より消費電力の小さい動作モードへと移行する。この移行を省電力移行と呼ぶ。
【００５６】
本実施例では、表示制御部１９０は、右光源制御部２０１と左光源制御部２０２とに、別々の制御を行っている。右光源制御部２０１は右光源２２１を制御し、左光源制御部２０２は左光源２２２を制御する。そのため、表示制御部１９０は、右光源２２１と左光源２２２とのどちらか一方だけの輝度を低減することもできる。また、表示制御部１９０は、右光源２２１と左光源２２２とで輝度を別々に低減することもできる。
【００５７】
検出部１８５は、光源２２１、２２２の輝度が低減された後、３０秒の間に使用者のまぶたが開いたことを検出したときは（ステップＳ３５０：ＮＯ）、使用者が眠りから覚めたと判定する。このとき、表示制御部１９０は、光源２２１、２２２の輝度を最大にする（ステップＳ３５１）。光源２２１、２２２の輝度を最大にすることにより、頭部装着型表示装置１００は、より消費電力の大きい動作モードへと移行する。この移行を復帰移行と呼ぶ。その後、表示制御部１９０は通常動作へと移行する（ステップＳ３３１）。なお、光源２２１、２２２の輝度の増加分は、ステップＳ３４０の処理における光源２２１、２２２の輝度の減少分と等しくなくてもよい。また、表示制御部１９０は、時間の経過と共に、光源２２１、２２２の輝度を徐々に増加してもよい。
【００５８】
検出部１８５は、光源２２１、２２２の輝度が低減された後、引き続き、使用者のまぶたが３０秒以上閉じ続けていたのを検出したときは（ステップＳ３５０：ＹＥＳ）、使用者が眠り続けていると判定する。このとき、表示制御部１９０は、光源２２１、２２２を消灯する（ステップＳ３６０）。これにより、頭部装着型表示装置１００は、さらに消費電力の小さい動作モードへの省電力移行を行う。
【００５９】
検出部１８５は、光源２２１、２２２が消灯された後、１分の間に使用者のまぶたが開いたことを検出したときは（ステップＳ３７０：ＮＯ）、使用者が眠りから覚めたと判定する。このとき、表示制御部１９０は、保養映像（例えば、輝度の低い映像）を画像表示部２０に表示させる（ステップＳ３７１）。その後、表示制御部１９０は、光源２２１、２２２の輝度を最大にし（ステップＳ３５１）、通常動作へと移行する（ステップＳ３３１）。これにより、頭部装着型表示装置１００は、より消費電力の大きい動作モードへと復帰移行を行う。なお、本実施例では、光源２２１、２２２が、消灯状態から短時間で輝度が増加してしまうと、使用者の眼への負担は大きいため、表示制御部１９０が、保養映像を画像表示部２０に表示させる。なお、表示制御部１９０は、保養映像を表示せず、短時間で光源２２１、２２２の輝度を増加してもよいし、時間の経過と共に、光源２２１、２２２の輝度を徐々に増加してもよい。
【００６０】
光源２２１、２２２が消灯しているときに、検出部１８５は、引き続き、使用者のまぶたが１分以上閉じ続けているのを検出したときは（ステップＳ３７０：ＹＥＳ）、使用者が眠り続けていると判定する。このとき、表示制御部１９０は、画像生成部２４４、２４６の動作を停止する（ステップＳ３８０）。これにより、頭部装着型表示装置１００は、さらに消費電力の小さい動作モードへの省電力移行を行う。
【００６１】
本実施例では、表示制御部１９０は、右眼用画像生成部２４４と左眼用画像生成部２４６とに、別々の制御を行っている。そのため、表示制御部１９０は、右眼用画像生成部２４４と左眼用画像生成部２４６とのどちらか一方だけの動作を停止することも可能である。
【００６２】
検出部１８５は、画像生成部２４４、２４６の動作が停止された後、５分の間に使用者のまぶたが開いたことを検出したときは（ステップＳ３９０：ＮＯ）、使用者が眠りから覚めたと判定する。このとき、表示制御部１９０は、画像生成部２４４、２４６の動作を再び開始する（ステップＳ３９１）。その後、表示制御部１９０は、保養映像を画像表示部２０に表示させ（ステップＳ３７１）、光源２２１、２２２の輝度を最大にし（ステップＳ３５１）、通常動作へと移行する（ステップＳ３３１）。これにより、頭部装着型表示装置１００は、より消費電力の大きい動作モードへと復帰移行を行う。
【００６３】
検出部１８５は、画像生成部２４４、２４６の動作が停止された後、引き続き、使用者のまぶたが５分以上閉じ続けているのを検出したときは（ステップＳ３９０：ＹＥＳ）、使用者が眠り続けていると判定する。このとき、制御部１０は、画像処理部１６０と表示制御部１９０と検出制御部１８３と音声処理部１７０との動作を停止する（ステップＳ４００）。これにより、頭部装着型表示装置１００は、さらに消費電力の小さい動作モードへの省電力移行を行う。なお、画像処理部１６０と表示制御部１９０と検出制御部１８３と音声処理部１７０との動作が停止した動作モードをスタンバイモードと呼ぶ。また、画像処理部１６０と表示制御部１９０と検出制御部１８３と音声処理部１７０とは、本発明における制御部１０の複数の機能を実現する機能部の各一つに相当する。
【００６４】
スタンバイモードのときに、操作部１１０の電源スイッチ１８が押下されない限りは、検出部１８５は使用者が眠り続けていると判定し、スタンバイモードは継続する（ステップＳ４１０：ＮＯ）。
【００６５】
スタンバイモードのときに、操作部１１０の電源スイッチ１８が押下されると（ステップＳ４１０：ＹＥＳ）、制御部１０は、使用者が眠りから覚めたと判定する。このとき、制御部１０は、スタンバイモードを解除し、画像処理部１６０と表示制御部１９０と検出制御部１８３と表示制御部１９０との動作が再び開始する（ステップＳ４１１）。その後、表示制御部１９０は、保養映像を画像表示部２０に表示させ（ステップＳ３７１）、光源２２１、２２２の輝度を最大にし（ステップＳ３５１）、通常動作へと移行する（ステップＳ３３１）。これにより、頭部装着型表示装置１００は、より消費電力の大きい動作モードへと復帰移行を行う。
【００６６】
また、本実施例では、記憶部１２０は、スタンバイモードへと移行する前に、表示制御部１９０が画像表示部２０に表示させていたコンテンツデータの画像の情報を記憶してある。そのため、制御部１０がスタンバイモードを解除したとき、画像処理部１６０と表示制御部１９０と検出制御部１８３と表示制御部１９０との動作が再び開始し、表示制御部１９０は、記憶部１２０に記憶していたコンテンツデータの画像の情報に基づいて、中断したところから再開できる。
【００６７】
以上説明したように、本実施例の頭部装着型表示装置１００では、検出部１８５は使用者のまぶたの開閉状態を検出する。表示制御部１９０は、まぶたの開閉状態によって、光源２２１、２２２の輝度を増減し、画像生成部２４４、２４６の動作を制御する。また、制御部１０は、まぶたの開閉状態によって、スタンバイモードへと移行したり、スタンバイモードを解除したりする。表示制御部１９０は、検出部１８５が、使用者のまぶたが所定の時間閉じ続けているのを検出したときは、使用者が眠っている状態と判定する。このとき、表示制御部１９０と制御部１０とは、省電力移行を行う。本実施例では、省電力移行として、表示制御部１９０は、光源２２１、２２２の輝度を低減したり、画像生成部２４４、２４６の動作を停止したりする。また、制御部１０は、スタンバイモードへと移行する。逆に、通常動作よりも消費電力が小さい動作モードのときに、検出部１８５は、使用者のまぶたが所定の時間閉じ続けたことを検出しないときは、使用者は眠りから覚めたと判定する。このとき、表示制御部１９０と画像表示部２０とは、復帰移行を行う。本実施例では、復帰移行として、表示制御部１９０は、光源２２１、２２２の輝度を増加したり、画像生成部２４４、２４６の動作を再び開始したりする。制御部１０は、スタンバイモードを解除する。従って、本実施例の頭部装着型表示装置１００では、検出した使用者のまぶたの開閉状態に応じて、表示制御部１９０と制御部１０は、消費電力の異なる適切な動作モードに切り替えるので、消費電力を抑えることができる。
【００６８】
また、本実施例の頭部装着型表示装置１００では、通常動作のときに、検出部１８５は、使用者のまぶたが１０秒以上閉じ続けているのを検出したとき、使用者が眠っていると判定する。このとき、表示制御部１９０は、光源２２１、２２２の輝度を低減する。また、光源２２１、２２２の輝度が低減しているときに、検出部１８５は、引き続き、使用者のまぶたが３０秒以上閉じ続けているのを検出したとき、使用者が眠り続けていると判定する。このとき、表示制御部１９０は、光源２２１、２２２を消灯する。従って、この頭部装着型表示装置１００は、使用者が眠っているときに、光源２２１、２２２の輝度を低減して、より消費電力の小さい動作モードに移行するので、消費電力を小さくすることができる。
【００６９】
また、本実施例の頭部装着型表示装置１００では、光源２２１、２２２が消灯しているときに、検出部１８５は、引き続き、使用者のまぶたが１分以上閉じ続けているのを検出したとき、使用者が眠り続けていると判定する。このとき、表示制御部１９０は、画像生成部２４４、２４６の動作を停止する。従って、この頭部装着型表示装置１００は、使用者が眠り続けているときに、画像生成部２４４、２４６の動作を停止し、より消費電力の小さい動作モードに移行するので、消費電力を小さくすることができる。
【００７０】
また、本実施例の頭部装着型表示装置１００では、画像生成部２４４、２４６の動作が停止しているときに、検出部１８５は、引き続き、使用者のまぶたが５分以上閉じ続けているのを検出したとき、使用者が眠り続けていると判定する。このとき、制御部１０は、スタンバイモードへと移行する。従って、この頭部装着型表示装置１００は、使用者が眠り続けているときに、画像処理部１６０と表示制御部１９０と検出制御部１８３と音声処理部１７０との動作が停止し、より消費電力の小さい動作モードに移行するので、消費電力を小さくすることができる。
【００７１】
また、本実施例の頭部装着型表示装置１００は、前述したように、使用者のまぶたが閉じ続けている時間に応じて、段階的に省電力移行を行う。使用者のまぶたが、閉じたからの経過時間が短いときは、経過時間が長いときに比べて、使用者の目が覚める可能性が高いと考えることができる。使用者の目が覚めたとき、通常動作への復帰移行に要する時間は短い方が望ましい。従って、この頭部装着型表示装置１００は、使用者のまぶたが閉じてからの経過時間に応じて、段階的により消費電力の小さい動作モードへと移行するので、消費電力を小さくしつつ、速やかに通常動作へと復帰することができる。
【００７２】
また、本実施例の頭部装着型表示装置１００では、光源２２１、２２２の輝度が低減しているときに、検出部１８５は、使用者のまぶたがさらに３０秒以上は閉じ続けたこと検出しないとき、使用者が眠りから覚めたと判定する。このとき、表示制御部１９０は、光源２２１、２２２の輝度を最大にする。また、光源２２１、２２２が消灯しているときに、検出部１８５は、使用者のまぶたがさらに１分以上は閉じ続けたことを検出しないとき、使用者が眠りから覚めたと判定する。このとき、表示制御部１９０は、保養映像を画像表示部２０に表示させる。その後、表示制御部１９０は、光源２２１、２２２の輝度を最大にする。従って、この頭部装着型表示装置１００は、使用者が眠っているときは消費電力を小さくして、使用者が眠りから覚めたとき、速やかに通常動作へと復帰することができる。
【００７３】
また、本実施例の頭部装着型表示装置１００では、画像生成部２４４、２４６の動作が停止しているときに、検出部１８５は、使用者のまぶたがさらに５分以上は閉じ続けたことを検出しないとき、使用者が眠りから覚めたと判定する。このとき、表示制御部１９０は、画像生成部２４４、２４６の動作を再び開始する。その後、表示制御部１９０は、保養映像を画像表示部２０に表示させ、光源２２１、２２２の輝度を最大にする。従って、この頭部装着型表示装置１００は、使用者が眠っているときは消費電力を小さくして、使用者が眠りから覚めたとき、速やかに通常動作へと復帰することができる。
【００７４】
また、本実施例の頭部装着型表示装置１００では、スタンバイモードのときに、操作部１１０の電源スイッチ１８が押下されると、制御部１０は、使用者が眠りから覚めたと判定する。このとき、制御部１０は、スタンバイモードを解除し、画像処理部１６０と表示制御部１９０と検出制御部１８３と表示制御部１９０との動作が再び開始する。その後、表示制御部１９０は、保養映像を画像表示部２０に表示させ、光源２２１、２２２の輝度を最大にする。従って、この頭部装着型表示装置１００は、使用者が眠っているときは消費電力を小さくして、使用者が眠りから覚めたとき、速やかに通常動作へと復帰することができる。
【００７５】
また、本実施例の頭部装着型表示装置１００は、前述したように、使用者のまぶたが閉じ続けている時間に応じて、段階的に復帰移行を行う。使用者のまぶたが閉じてからの経過時間が長いときは、使用者の眠りが深いと考えることができる。そのため、検出部１８５が、使用者のまぶたが閉じている状態から開いたのを検出したとき、短時間で光源２２１、２２２の輝度が増加してしまうと、使用者の眼への負担は大きい。従って、この頭部装着型表示装置１００は、段階的に復帰移行を行うことで、使用者の眼への負担を減らすことができる。
【００７６】
また、本実施例の頭部装着型表示装置１００では、画像処理部１６０は、記憶部１２０に、スタンバイモードへと移行する前に、表示制御部１９０が画像表示部２０に表示させていたコンテンツの情報を記憶する。コンテンツの情報は、例えば、フレーム番号やフレームデータである。そのため、制御部１０がスタンバイモードを解除したとき、画像処理部１６０と表示制御部１９０と検出制御部１８３と表示制御部１９０との動作が再び開始し、表示制御部１９０は、記憶部１２０に記憶していたコンテンツの情報に基づいて、中断したところから再開できる。従って、この頭部装着型表示装置１００では、使用者は効率的に見たいコンテンツを再開できる。
【００７７】
また、本実施例の頭部装着型表示装置１００では、表示制御部１９０は、右光源制御部２０１と左光源制御部２０２とに、別々の制御を行っている。右光源制御部２０１は右光源２２１を制御し、左光源制御部２０２は左光源２２２を制御する。そのため、表示制御部１９０は、右光源２２１と左光源２２２とのどちらか一方だけの輝度を低減することもできる。また、表示制御部１９０は、右眼用画像生成部２４４と左眼用画像生成部２４６とに、別々の制御を行っている。そのため、表示制御部１９０は、右眼用画像生成部２４４と左眼用画像生成部２４６とのどちらか一方だけの動作を停止することもできる。従って、この頭部装着型表示装置１００は、右光源２２１と左光源２２２とを、また右眼用画像生成部２４４と左眼用画像生成部２４６とを、別々に制御しているので、柔軟な消費電力の低減を実現することができる。
【００７８】
Ｂ．変形例：
なお、この発明は上記の実施例や実施形態に限られるものではなく、その要旨を逸脱しない範囲において種々の態様において実施することが可能であり、例えば次のような変形も可能である。
【００７９】
Ｂ１．変形例１：
上記実施例における頭部装着型表示装置１００の構成は、あくまで一例であり、種々変形可能である。上記実施例では、検出部１８５は、使用者のまぶたが所定の時間閉じ続けたことを検出したとき、使用者が眠っていると判定する。しかし、使用者は、まぶたが閉じているだけで眠っていないときや、薄眼が開いているときがある。そのため、表示制御部１９０は、省電力移行を行う直前に、省電力移行を行う旨の通知を画像表示部２０に表示させてもよい。また同時に、音声処理部１７０は、音で省電力移行を行う旨の通知を流してもよい。なお、省電力移行を行う旨の通知は、表示制御部１９０の表示のみであってもよいし、音声処理部１７０の音だけであってもよい。表示制御部１９０は省電力移行を行う旨を通知してから、省電力移行を行うまでに、検出部１８５が使用者のまぶたが開いたのを検出したときは、表示制御部１９０は省電力移行を行わない。従って、この頭部装着型表示装置１００は、検出部１８５が検出する使用者のまぶたの状態だけで省電力移行を行うのではなく、使用者の意思も確認して、省電力移行を行うことができる。
【００８０】
Ｂ２．変形例２：
上記実施例では、省電力移行と復帰移行とは、使用者のまぶたの状態に応じた段階的な移行としたが、段階的ではない省電力移行と復帰移行とでもよい。例えば、頭部装着型表示装置１００は、通常動作から、使用者のまぶたの状態に応じて、いきなり電源スイッチ１８をＯＦＦにしてもよいし、いきなりスタンバイモードへと移行してもよいし、いきなり画像生成部２４４、２４６停止してもよい。
【００８１】
Ｂ３．変形例３：
上記実施例では、検出部１８５は、赤外線センサー５０を用いて、使用者のまぶたの状態を検出するとしたが、他の検出デバイスを用いて検出するとしてもよい。例えば、検出部１８５は、ＣＣＤ等の撮影素子を用いてまぶたの状態を検出してもよい。また、検出部１８５は、耳掛部２１に配置された圧力センサーを用いて、眼の瞬きのときの筋肉の動きを検出することにより、まぶたの状態を検出してもよい。
【００８２】
上記実施例では、検出部１８５は、使用者のまぶたの状態の検出を赤外線センサー５０を用いて実現しているが、公知の種々の方法で代用可能である。例えば、眼の前方に赤外発光ダイオードとフォトダイオードを置く反射型センサーによる検出方法（http://www.ee.toyota-ct.ac.jp/~ozeki/index.html）によっても実現できる。
【００８３】
Ｂ４．変形例４：
上記実施例における省電力移行の判断基準である、使用者のまぶたが閉じ続けている所定の時間は、あくまで一例であり、任意の値に設定することができる。また、復帰移行の判断の際には、使用者のまぶたが、所定の時間（例えば３秒）開いたときに、復帰移行を行うと判断してもよい。
【００８４】
Ｂ５．変形例５：
上記実施例では、制御部１０は、操作部１１０の電源スイッチ１８が押下されると、スタンバイモードを解除するが、その他の操作でスタンバイモードを解除してもよい。制御部１０は、操作部１１０の電源スイッチ１８以外のボタンが押下されると、スタンバイモードを解除してもよい。また、操作部１１０に加速度センサーを配置し、制御部１０は、操作部１１０が所定の加速度を検出したとき、スタンバイモードを解除してもよい。
【００８５】
Ｂ６．変形例６：
上記実施例では、制御部１０は、スタンバイモードのときに、画像処理部１６０と表示制御部１９０と検出制御部１８３と音声処理部１７０との動作を停止するが、これら機能部のすべての動作を停止しなくてもよい。例えば、制御部１０は、画像処理部１６０の動作のみを停止することでも消費電力を小さくすることができる。
【００８６】
また、上記実施例において、オペレーティングシステム１５０と画像処理部１６０と表示制御部１９０と検出部１８５と音声処理部１７０とは、ＣＰＵ１４０がソフトウェアを実行することにより実現されるとしているが、電子回路といったハードウェアによって実現されるとしてもよい。例えば、画像処理部１６０と表示制御部１９０とが電子回路によって実現される場合に、制御部１０は、画像処理部１６０と表示制御部１９０の動作を停止することで消費電力を小さくすることができる。
【００８７】
Ｂ７．変形例７：
また、上記実施例において、制御部１０に設けられた十字キー１６を省略したり、十字キー１６やタッチパッド１４に加えて操作用スティック等の他の操作用インターフェイスを設けたりしてもよい。また、制御部１０は、キーボードやマウス等の入力デバイスを接続可能な構成であり、キーボードやマウスから入力を受け付けるものとしてもよい。また、制御部１０に無線ＬＡＮ等の通信部を設けてもよい。
【００８８】
また、上記実施例では、制御部１０と画像表示部２０とが接続部４０により有線接続されるとしているが、制御部１０と画像表示部２０とが、無線ＬＡＮや赤外線通信、Bluetooth（ブルートゥース）等の信号伝送路を介して接続されるとしてもよい。
【００８９】
上記実施例では、画像表示部２０が眼鏡のように装着するＨＭＤであるとしているが、画像表示部２０が通常の平面型ディスプレイ装置（液晶ディスプレイ装置、プラズマディスプレイ装置、有機エレクトロルミネッセンス（Electro-Luminescence：ＥＬ）ディスプレイ装置等）であるとしてもよい。この場合にも、制御部１０と画像表示部２０との間の接続は、有線の信号伝送路を介した接続であってもよいし、無線の信号伝送路を介した接続であってもよい。このようにすれば、制御部１０を、通常の平面型ディスプレイ装置のリモコンとして利用することができる。
【００９０】
また、画像表示部として、眼鏡のように装着する画像表示部２０に代えて、例えば帽子のように装着する画像表示部といった他の形状の画像表示部を採用してもよい。また、イヤホン３２，３４は省略してもよい。
【００９１】
また、上記実施例では、画像光を生成する構成として、ＬＣＤと光源とを利用しているが、これらに代えて、有機ＥＬディスプレイといった他の表示素子を採用してもよい。
【００９２】
また、上記実施例では、頭部装着型表示装置１００は、両眼タイプの光学透過型頭部装着型表示装置であるとしているが、本発明は、例えばビデオ透過型や非透過型、単眼タイプといった他の形式の頭部装着型表示装置にも同様に適用可能である。さらに、本発明は、頭部装着型表示装置に限らず、パーソナルコンピューターやプロジェクター、テレビといった情報処理装置の操作にも適用可能である。
【００９３】
また、上記実施例において、ハードウェアによって実現されていた構成の一部をソフトウェアに置き換えるようにしてもよく、逆に、ソフトウェアによって実現されていた構成の一部をハードウェアに置き換えるようにしてもよい。例えば、上記実施例では、画像処理部１６０や音声処理部１７０は、ＣＰＵ１４０がコンピュータープログラムを読み出して実行することにより実現されるとしているが、これらの機能部はハードウェア回路により実現されるとしてもよい。
【００９４】
また、本発明の機能の一部または全部がソフトウェアで実現される場合には、そのソフトウェア（コンピュータープログラム）は、コンピューター読み取り可能な記録媒体に格納された形で提供することができる。この発明において、「コンピューター読み取り可能な記録媒体」とは、フレキシブルディスクやＣＤ−ＲＯＭのような携帯型の記録媒体に限らず、各種のＲＡＭやＲＯＭ等のコンピューター内の内部記憶装置や、ハードディスク等のコンピューターに固定されている外部記憶装置も含んでいる。
【００９５】
Ｂ８．変形例８：
上記実施例において、頭部装着型表示装置１００は、使用者の左右の眼に同じ画像を表す画像光を導いて使用者に二次元画像を視認させるとしてもよいし、使用者の左右の眼に異なる画像を表す画像光を導いて使用者に三次元画像を視認させるとしてもよい。
【００９６】
また、上記実施例では、外部機器ＯＡからコンテンツデータが供給されるとしているが、頭部装着型表示装置１００の制御部１０の記憶部１２０にコンテンツデータが格納され、記憶部１２０に格納されたコンテンツデータに基づき画像表示が行われるとしてもよい。
【００９７】
また、上述した実施形態における構成要素のうち、独立請求項に記載された要素以外の要素は、付加的な要素であり、適宜省略、または、組み合わせが可能である。
【符号の説明】
【００９８】
１０…制御部
１２…点灯部
１４…タッチパッド
１６…十字キー
１８…電源スイッチ
２０…画像表示部
２１…耳掛部
２２…右表示駆動部
２４…左表示駆動部
２６…右光学パネル
２８…左光学パネル
３２…右イヤホン
３４…左イヤホン
４０…接続部
４２…右ケーブル
４４…左ケーブル
４６…連結部
４８…本ケーブル
５０…赤外線センサー
５１…赤外線発光部
５２…右赤外線発光部
５４…左赤外線発光部
５６…赤外線受光部
６２…右眼
６４…左眼
１００…頭部装着型表示装置
１１０…操作部
１２０…記憶部
１３０…電源
１４０…ＣＰＵ
１５０…オペレーティングシステム
１６０…画像処理部
１７０…音声処理部
１８０…インターフェイス
１８３…検出制御部
１８５…検出部
１９０…表示制御部
２０１…右光源制御部
２０２…左光源制御部
２１１…右ＬＣＤ制御部
２１２…左ＬＣＤ制御部
２２１…右光源
２２２…左光源
２４１…右ＬＣＤ
２４２…左ＬＣＤ
２４４…右眼用画像生成部
２４６…左眼用画像生成部
２５１…右投写光学系（導光部）
２５２…左投写光学系（導光部）
２６１…右導光板（導光部）
２６２…左導光板（導光部）
【図１】
2012203127.tif 000003
【図２】
2012203127.tif 000004
【図３】
2012203127.tif 000005
【図４】
2012203127.tif 000006
【図５】
2012203127.tif 000007